(57)【特許請求の範囲】
【請求項１】
給油エリアに自動車へ燃料油を給油する給油機を設けた給油所において、
前記給油エリアと異なる位置に自動車用のカーサービスエリアを設け、
該カーサービスエリアにタイヤへのエアー充填を行うエアー充填ノズルと、自動車内の清掃を行うエアーノズルと、ラジエータ液を供給する供給ノズルと、自動車のオイルを交換するオイル交換ノズルを組み、バッテリー補充液、ウインドウッシャー液等のケミカルを陳列するディスプレイと、ケミカル受取口を有する商品販売機を設け、各機器は操作部に接続され、操作部には貨幣を挿入する貨幣挿入口と、クレジットカード又はプリペイカードを挿入するカード挿入口と、ケミカル及び機器を選択するキーボードと、エンジンオイル又はトルコンオイルの交換作業のスタート信号を出力するスタート釦と、ケミカル及び機器の選択内容、オイルの抜取量及び給油量を表示する表示器を設けたことを特徴とする給油所。
【発明の詳細な説明】
【０００１】
【発明の属する技術分野】
本発明は、自動車へガソリン等の燃料油を給油する給油所に関するものである。
【０００２】
【従来の技術】
かかる給油所では、作業員が給油作業及び灰皿清掃、窓拭き、あるいはオイル交換等のサービス作業を行うとともに、タイヤのエアー圧又はラジエータ液等が適正であるかの安全チェックも行っていた。近年の給油所では人手を少なくするために、給油エリアで給油開始時に給油ノズルを自動車の給油口に挿入し、給油終了で給油ノズルを給油機に掛ける給油作業だけを作業員が行い、伝票を持って建物内で行う精算作業及びサービス作業は顧客自身で行う給油所が主流となってきている。このような給油所ではサービス作業及び安全チェックを顧客自身が行わなければならない。
【０００３】
【発明が解決しようとする課題】
しかし、これらの機器を使うために顧客としても車をその都度移動するのは面倒であり、給油所としても複数台の機器を設置する場所を確保できないのが現状である。また、各機器が異なる位置に設置されていると、機器の使用が面倒になって安全チェックを怠り、自動車の故障を招き、事故を起こすなどの安全上の問題がある。
【０００４】
本発明の目的はこのような問題に鑑みてなされたものであって、その目的とするところは、カーサービスエリアを設けてサービス作業及び安全チェックを十分に行える給油所を提供することにある。
【０００５】
【課題を解決するための手段】
前記目的を達成するため本発明は、給油エリアに自動車へ燃料油を給油する給油機を設けた給油所において、  前記給油エリアと異なる位置に自動車用のカーサービスエリアを設け、該カーサービスエリアにタイヤへのエアー充填を行うエアー充填ノズルと、自動車内の清掃を行うエアーノズルと、ラジエータ液を供給する供給ノズルと、自動車のオイルを交換するオイル交換ノズルを組み、バッテリー補充液、ウインドウッシャー液等のケミカルを陳列するディスプレイと、ケミカル受取口を有する商品販売機を設け、各機器は操作部に接続され、操作部には貨幣を挿入する貨幣挿入口と、クレジットカード又はプリペイカードを挿入するカード挿入口と、ケミカル及び機器を選択するキーボードと、エンジンオイル又はトルコンオイルの交換作業のスタート信号を出力するスタート釦と、ケミカル及び機器の選択内容、オイルの抜取量及び給油量を表示する表示器を設けたことを要旨とするものである。
【０００６】
本発明によれば一つのハウジング内に各機器が収納されているので、狭いスペースでサービス作業及び安全チェックを行うことができる。また、作業が同一場所で行え、効率が良い。さらに、充分なサービス作業及び安全チェックができ、自動車の故障やメンテナンス不備による事故を防止できる。
【０００７】
また、どれか一つの機器を使いに来た場合に、ついでに他の機器を使用することが推奨でき、給油所として油外収益の拡販に繋がる。
【０００８】
【発明の実施の形態】
以下、本発明の実施の形態を図面に基づいて説明する。図１は本発明の給油所を示す構成図、図２はカーサービスエリアに設けたサービスユニットを示す正面図である。
【０００９】
図１に示すように、給油所１の給油エリア２にはアイランド３に立設された給油機４が設けられている。また、給油所１の一方の隅部には給油機４で給油された燃料油の代金を建物５内で精算する精算エリア６と、他方の隅部には顧客自身がサービス作業及び安全チェックを行うカーサービスエリア７が設けられている。このカーサービスエリア７にはサービスユニット８がアイランド９上に立設されている。
【００１０】
図２に示すようにカーサービスエリア７に設けたサービスユニット８は、複数の自動車用のカーサービス機器が一体に組み込まれている。カーサービス機器として例えば、ホース途中に圧力計１１を設け、タイヤへのエアー充填を行うエアー充填ノズル１２と、吸引して車内のゴミを清掃するエアーノズル１３と、ラジエータ液を供給する供給ノズル１４と、オイル交換ノズルとしてエンジンオイルの自動交換を行うエンジンオイル交換ノズル１５と、トルコンオイルの自動交換を行うトルコンオイル交換ノズル１６と、バッテリー補充液、ウインドウッシャー液等のケミカルを陳列するディスプレイ１７と、ケミカル受取口１８を有する商品販売機１９を設けている。これらの各機器は操作部２０に接続され、操作部２０には貨幣を挿入する貨幣挿入口２１と、クレジットカード又はプリペイカードを挿入するカード挿入口２２と、ケミカル及び機器を選択するキーボード２３と、作業のスタート信号を出力するスタート釦２４と、キーボード２３からの選択内容、オイルの抜取量及び給油量を表示する表示器２５が設けられている。
【００１１】
次に使用方法について説明する。給油エリア２で給油を終了して建物５内の精算エリア６で燃料油の精算を済ませた後に、自動車のサービス作業又は安全チェックを行うためにカーサービスエリア７に設けたサービスユニット８の前まで自動車を移動する。
【００１２】
まず、タイヤへのエアー充填を行うエアー充填ノズル１２を使用する場合について説明する。顧客は操作部２０に設けたキーボード２３でエアー充填を選択すると、例えば料金が１００円と表示されて貨幣又はカードを貨幣挿入口２１又はカード挿入口２２に挿入する。そして、エアー充填ノズル１２をサービスユニット８より引き出して、自動車のタイヤに設けられたバルブにエアー充填ノズル１２を押圧すると、エアーがタイヤに充填され、その後、設定圧に達したことを圧力計１１で確認したら、エアー充填ノズル１２をバルブより取り外して順次他のタイヤにエアーを充填する。作業終了後、エアー充填ノズル１２を初期位置に戻す。
【００１３】
次に、車内清掃を行うエアーノズル１３を使用する場合について説明する。操作部２０に設けたキーボード２３でエアーノズル１３を選択すると、料金が２００円と表示されて貨幣又はカードを貨幣挿入口２１又はカード挿入口２２に挿入する。そして、エアーノズル１３をサービスユニット８より引き出して、車内のゴミを吸取る。作業終了後、エアーノズル１３を初期位置に戻す。
【００１４】
次に、ラジエータ液を供給する供給ノズル１４を使用する場合について説明する。操作部２０に設けたキーボード２３で供給ノズル１４を選択すると、料金が２００円と表示されて貨幣又はカードを貨幣挿入口２１又はカード挿入口２２に挿入する。そして、供給ノズル１４をサービスユニット８より引き出して、自動車のリザーブタンク内に挿入し、レバーを引いてラジエータ液を供給する。リザーブタンクに規定量のラジエータ液が供給されたらレバーを戻して、供給ノズル１４を初期位置に戻す。
【００１５】
次にエンジンオイルの交換を行うエンジンオイル交換ノズル１５を使用する場合について説明する。操作部２０に設けたキーボード２３でエンジンオイル交換ノズル１５を選択して、新油の給油量を５Ｌと入力すると、料金が２５００円と表示されて貨幣又はカードを貨幣挿入口２１又はカード挿入口２２に挿入する。そして、エンジンオイル交換ノズル１５をサービスユニット８より引き出して、自動車のエンジンのオイルパンに挿入してキーボード２３に設けたスタート釦２４を押圧すると、オイルパン内の廃油が抜取られた後に、５Ｌの新油が給油される。この際、表示器２５には抜取量と給油量が表示される。作業終了後、エンジンオイル交換ノズル１５を自動車のエンジンのオイルパンより引き出して、初期位置に戻す。
【００１６】
次にトルコンオイルの交換を行うトルコンオイル交換ノズル１６を使用する場合について説明する。操作部２０に設けたキーボード２３でトルコンオイル交換ノズル１６を選択して、新油の給油量を８Ｌと入力すると、料金が４０００円と表示されて貨幣又はカードを貨幣挿入口２１又はカード挿入口２２に挿入する。そして、トルコンオイル交換ノズル１６をサービスユニット８より引き出して、自動車のトルクコンバータのオイルパンに挿入してキーボード２３に設けたスタート釦２４を押圧すると、オイルパン内の廃油が抜取られた後に、８Ｌの新油が給油される。この際、表示器２５には抜取量と給油量が表示される。作業終了後、トルコンオイル交換ノズル１６を自動車のトルクコンバータのオイルパンより引き出して、初期位置に戻す。
【００１７】
さらに、前記作業の有無に関わらず、商品販売機１９のディスプレイ１７で希望の商品を探し、キーボード２３で選択して、該当する金額分の貨幣又はカードを貨幣挿入口２１又はカード挿入口２２に挿入する。そして、ケミカル受取口１８より取り出して、自動車のメンテナンスに役立てることが出来る。
【００１８】
本発明は以上の実施例に限定されるものではなく、機器操作の不慣れな女性等の場合は作業員がサービス作業を行うことにより、給油所として更なる油外収益の拡販に繋げることができる。
【００１９】
【発明の効果】
本発明に係る給油所は以上詳細に述べた如くであって、給油エリアに自動車へ燃料油を給油する給油機を設けた給油所において、前記給油エリアと異なる位置に自動車用のカーサービスエリアを設け、該カーサービスエリアにタイヤへのエアー充填を行うエアー充填ノズルと、自動車内の清掃を行うエアーノズルと、ラジエータ液を供給する供給ノズルと、自動車のオイルを交換するオイル交換ノズルを組み込んだサービスユニットを設けたので、狭いスペースでサービス作業及び安全チェックを行うことができる。また、作業が同一場所で行え、効率が良い。さらに、充分なサービス作業及び安全チェックができ、自動車の故障やメンテナンス不備による事故を防止できる。また、どれか一の機器を使いに来た場合に、ついでに他の機器を使用することが推奨でき、給油所として油外収益の拡販に繋がる。
【図面の簡単な説明】
【図１】  本発明の給油所を示す構成図である。
【図２】  カーサービスエリアに設けたサービスユニットを示す正面図である。
【符号の説明】
１  給油所
２  給油エリア
３  アイランド
４  給油機
５  建物
６  精算エリア
７  カーサービスエリア
８  サービスユニット
９  アイランド
１１  圧力計
１２  エアー充填ノズル
１３  エアーノズル
１４  供給ノズル
１５  エンジンオイル交換ノズル
１６  トルコンオイル交換ノズル
１７  ディスプレイ
１８  ケミカル受取口
１９  商品販売機
２０  操作部
２１  貨幣挿入口
２２  カード挿入口
２３  キーボード
２４  スタート釦
２５  表示器
【図１】
0003997621.tif 000002
【図２】
0003997621.tif 000003